(57)【要約】
【課題】瓶の口部に捻子や係止段部がない場合、また瓶の口部側筒部の太さや形状が違う場合であっても容易に取付けることができ、かつ瓶口から外に垂れた液体、例えばワインの雫が口部側筒部の外面を伝って流下するのを防ぐことができ、かつファッション性に優れた液垂れ防止具を提供する。
【解決手段】伸縮性の編織地によって筒状体に形成される。ただし、筒状体とした場合、上記の編織地は、その伸縮方向が筒状体の周方向に向けられる。そして、筒状体の口径は、ワインその他の液体を貯蔵する瓶の口側筒部外面に鉢巻き状に装着可能な大きさに設定される。
【選択図】　　　図１
0003100294.tif 000002
【実用新案登録請求の範囲】
【請求項１】
伸縮性の編織地によって筒状体に形成され、編織地の伸縮方向が筒状体の周方向に向けられ、筒状体の口径がワインその他の液体を貯蔵する瓶の口側筒部外面に鉢巻き状に装着可能な大きさに設定されていることを特徴とする液垂れ防止具。　　　　　　　　　　　　　　　　　
【請求項２】
編織地が合成繊維からなり、その伸縮方向に弾性繊維が挿入されている請求項１記載の液垂れ防止具。
【請求項３】
編織地が少なくとも片面にパイルを有するものである請求項１または２に記載の液垂れ防止具。
【請求項４】
編織地が色糸配置と編織組織の組合せに基づく縞模様、凹凸模様その他の模様を備えている請求項１ないし３のいずれかに記載の液垂れ防止具。　　　　　
【請求項５】
筒状体が所定長の伸縮性細幅テープを両端で接続して形成したものである請求項１ないし４のいずれかに記載の液垂れ防止具。　　　　　
【考案の詳細な説明】
【技術分野】
【０００１】
この考案は、ワインボトルその他の瓶容器において、その口部に装着して液垂れを防止するための液垂れ防止具に関するものである。
【背景技術】
【０００２】
ワインボトルのワインをグラスに注ぎ終わってボトルを起こした際、ワインの雫がボトルの口から外面を伝って下に流れ、ボトル外面を汚すのを防ぐため、通常はボトルの先端部外面を布巾で拭いている。一方、瓶容器の内容物である液体を注ぎ出す際の液垂れを防ぐ器具として、種々のものが知られているが、いずれも瓶口の開閉用キャップを兼ねるものであって、金属やプラスチックで瓶口に固定できるように作られ、外蓋の内側に液垂れを防ぐための特殊な注出口が形成されている。
【特許文献１】特開2003-104414号公報
【特許文献２】特開2002-002760号公報
【０００３】
しかしながら、従来の液垂れ防止具は、瓶の口部にキャップ状に固定するものであるから、固定のための捻子や係止段部を必要とし、これらを有しない瓶及び口部の形状が異なる瓶には使用できず、かつファッション性に欠けていた。また、瓶口から外に垂れるのを防ぐものであるから、瓶口から外面に垂れた雫の流下を防ぐことができなかった。したがって、従来の液垂れ防止具は、通常のワインボトルには取付けることができなかった。また、ワインボトルで使われる布巾は、ワインを注ぐ度に使う必要があるため、面倒であり、かつファッション性にも欠けていた。　　　　　
【考案の開示】
【考案が解決しようとする課題】
【０００４】
この考案は、ガラスや陶器、プラスチック等からなる瓶の口部に捻子や係止段部がない場合、また瓶の口部側筒部の太さや形状が違う場合であっても容易に取付けることができ、かつ瓶口から外に垂れた液体、例えばワインの雫が口部側筒部の外面を伝って流下するのを防ぐことができ、かつファッション性に優れた液垂れ防止具を提供するものである。
【課題を解決するための手段】
【０００５】
この考案に係る液垂れ防止具は、伸縮性の編織地によって筒状体に形成したものである。ただし、筒状体とした場合、上記の編織地は、その伸縮方向が筒状体の周方向に向けられる。そして、筒状体の口径は、ワインその他の液体を貯蔵する瓶の口側筒部外面に鉢巻き状に装着可能な大きさに設定される。
【０００６】
この液垂れ防止具をワインボトルその他の瓶の口側筒部外面に鉢巻き状に装着した後、瓶を傾けてワイン等の液体をグラス等に注ぎ、適当量を注いだ後に瓶を起こすと、口部に付着した雫が瓶の口側筒部外面を伝って下に流れようとするが、この口側筒部には上記の編織地からなる液垂れ防止具が装着されているため、この液垂れ防止具の繊維間空隙に上記の雫が自動的に吸収される。したがって、上記の雫が液垂れ防止具よりも下に流れることがなく、いちいち拭取る必要がない。そして、この液垂れ防止具は、伸縮性の編織地によって筒状体に形成され、その伸縮方向が筒状体の周方向に向けられているため、瓶の口側筒部に太さの相違が少々あっても瓶に嵌めて固定することができる。また、先染め又は後染めで着色してファッション性を向上することができる。更に、色違いの瓶口サックを複数本装着し、その組合せを楽しむこともできる。　　　　　　　　　　　　　　　　　
【０００７】
上記編織地の構成繊維は、編織用の繊維であれば、天然繊維、化学繊維のいずれでも良いが、ナイロンやポリエステル等の合成繊維は、疎水性で、洗濯が容易である点で好ましい。そして、上記の編織地は、少なくとも一方向に伸縮性を有するものであれば織物、緯編地（横編および丸編）、経編地のいずれでもよいが、その伸縮方向に弾性繊維が挿入されていることが好ましく、この場合は液垂れ防止具を瓶の口側筒部外面に装着した際の固定が確実となり、弛んでずれ落ちることがない。
【０００８】
また、上記編織地の組織は、任意であるが、少なくとも片面にカットパイルやループパイル等のパイルを有するものが好ましく。この場合はファッション性が向上すると共に、液の吸収量が向上する。また、上記の編織地に色糸配置と編織組織の組合せに基づいて縞模様、凹凸模様その他の模様、例えばワインの産地国をイメージさせる模様を形成し、ファッション性を向上することができる。　　　　　
【０００９】
上記の編織地からなる筒状体は、編織地を広い幅に編織した後、所定の幅に裁断し、さらに所定の長さに切断し、両端を接着または縫合で接続して作ることができ、また丸編機で所定の径と長さに編成してもよく、また丸編機で所定の径で長尺に編成したのち、所定の長さに切断してもよく、また経編機やテープ織機で所定幅の伸縮性細幅テープを編織し、これを所定長に切断し、両端で接続して形成することもできるが、所定幅の伸縮性細幅テープを編織した場合は、耳部でほつれが生じない点で好ましい。
【考案の効果】
【００１０】
この考案に係る液垂れ防止具は、ワインボトルその他の瓶の口側筒部外面に装着することにより、瓶内の液を注ぎ出した際、瓶の口部に付着した雫を自動的に吸収することができ、上記の雫が液垂れ防止具よりも下に流れることがなく、いちいち拭取る必要がなく、また瓶の口側筒部に太さの相違が少々あっても支障なく瓶に装着して使用することができ、かつファッション性を向上することができる。
【００１１】
特に請求項２に係る考案は、汚れた際の洗濯が容易である。また、請求項３に係る考案は、瓶の口側筒部外面に装着した際、弛んでずれ落ちることがない。また、請求項４に係る考案は、ファッション性が向上すると共に、液の吸収量が向上する。また、請求項５に係る考案は、内容物の産地国をイメージさせる模様を形成するなどしてファッション性をさらに向上することができる。　
【考案を実施するための最良の形態】
【００１２】
実施形態１
図１において、10はワイン用の瓶、10aはその口部、10bは口側筒部であり、この口側筒部10bには緩い先細のテーパーが付されている。そして、この口側筒部10bに液垂れ防止具20が装着されている。この液垂れ防止具20は、テープ織機で製織された幅６〜24mmの細幅織物（テープ）であり、合成繊維製の経糸および緯糸からなる地部21と、同じく合成繊維製のパイル経糸からなるパイル22とを備え、上記の地部21には地経糸の数本ごとにウレタン弾性糸が挿入されている。そして、上記の伸縮性テープは、80〜90mmの長さに切断し、両端を縫製で接続することにより、周長75〜82mmのリングまたは筒状に形成され、筒長が上記織物幅と同じ６〜24mmの液垂れ防止具20が得られる。
【００１３】
上記の液垂れ防止具20は、図示のように、瓶10の口側筒部10bに装着して使用される。その場合、液垂れ防止具20は伸縮性を有するため、口側筒部10bに段部や捻子部が存在していても、支障なく装着することができる。そして、上記の液垂れ防止具20は、位置をずらしたり、外したりすることが容易であるため、瓶口10aにコルク栓をつめたり、別のキャップを取付けることも自由である。なお、テープ織機で製織された細幅織物の例を示したが、ラッセル編み機で編成した弾性糸入り細幅パイル編地も同様に使用することができる。
【００１４】
実施形態２
図２に示す液垂れ防止具30は、上記の実施形態１と同様に、合成繊維糸とウレタン弾性繊維糸とを用いて幅30〜80mmの細幅ラッセル編地を編成し、所定長に切断した後、両端を接続して作られている。ただし、この実施形態２では、上記の細幅ラッセル編地に３色の縦ストライプが形成されるため、液垂れ防止具30の長さ方向が上部31、中間部32および下部33に３区分され、使用経糸およびパイル糸の色彩によって、例えば青、白、赤等の三色に色分けされている。なお、34は縫合された縫い代である。
【図面の簡単な説明】
【００１５】
【図１】実施形態１の使用状態を示す一部を破断した正面図である。
【図２】実施形態２の斜視図である。
【符号の説明】
【００１６】
10：瓶
10a：口部
10b：口側筒部
20、30：液垂れ防止具
21：地部
22：パイル部　　　　　
31：上部
32：中間部
33：下部
34：縫い代　　　　　
【図１】
0003100294.tif 000003
【図２】
0003100294.tif 000004